(57)【特許請求の範囲】
【請求項１】
施錠体を収容する錠ケースに固定される外部接続コネクタにプラグイン接続される外部配線コネクタを介して錠ケース内の内部配線を外部配線に接続する電気錠であって、
前記錠ケースには、外部接続コネクタと外部配線コネクタとの連結部を覆うコネクタカバーが着脱自在に連結され、
前記外部接続コネクタは、前記コネクタカバーの錠ケース装着面への投影面内において左右方向に偏倚して配置されるとともに、
反対領域が外部配線の通線領域として使用され、
前記外部配線は、錠ケースの外部接続コネクタよりも下方に形成された折り返し突部に係止されて下に凸の形状に折り返されるとともに、前記コネクタカバーの、外部接続コネクタよりも上方に形成される配線ガイドにより前記通線領域内に保持されて折り返し形状が維持される電気錠。
【請求項２】
前記コネクタカバーは、折り返し突部近傍に至るまで延設される請求項１記載の電気錠。
【請求項３】
前記コネクタカバーは、錠ケースの背面部を切り欠いて形成されたカバー装着部に装着され、装着状態において錠ケースの切欠形状を補完する請求項１または２記載の電気錠。
【請求項４】
請求項１から３のいずれかに記載の電気錠を備えた建具。
【請求項５】
電気錠の錠ケースに着脱自在に連結され、錠ケースに固定される外部接続コネクタと、この外部接続コネクタにプラグイン接続される外部配線コネクタとの連結部位を覆うコネクタカバーであって、
前記連結部位を覆う配線カバー部を有するとともに、該配線カバー部に対して左右方向に偏倚して配置される外部配線の通線領域を有し、
前記配線カバー部は、外部配線の下方への引出面を除いて連結部位を隔壁により囲って画成され、
かつ、前記配線カバー部と外部配線の通線領域とを区画する隔壁の外壁面には、引出面から引き出されて下に凸の形状に折り返された外部配線を通線領域内に保持し、外部配線の折り返し形状を維持する配線ガイドが設けられるコネクタカバー。
【発明の詳細な説明】
【技術分野】
【０００１】
本発明は、電気錠および電気錠を備えた建具に関するものである。
【背景技術】
【０００２】
外部配線を内部配線に接続するコネクタを備えた電気錠としては、特許文献１に記載のものが知られている。この従来例において、電気錠は錠ケース内に布線される内部配線が接続されるコネクタを錠ケースの外壁部に固定して形成され、外部配線の接続は、該外部配線に連結されるコネクタを錠ケース側のコネクタにプラグイン接続して行われる。
【先行技術文献】
【特許文献】
【０００３】
【特許文献１】特開２００６-１３８０７２号公報
【発明の概要】
【発明が解決しようとする課題】
【０００４】
しかし、上述した従来例において、電気錠は家屋の外扉内部等、非防水環境下で使用される場合には、コネクタの接続部に対する防水処理を高めるために、防水コネクタを使用する必要が生じ、製造コストの上昇をもたらすという欠点がある。
【０００５】
本発明は、以上の欠点を解消すべくなされたものであって、安価で、かつ、防水性能を高めた電気錠の提供を目的とする。また、本発明の他の目的は、上記電気錠に使用可能なコネクタカバー、および上記電気錠が装備された建具の提供にある。
【課題を解決するための手段】
【０００６】
本発明によれば上記目的は、
施錠体１を収容する錠ケース２に固定される外部接続コネクタ３にプラグイン接続される外部配線コネクタ４を介して錠ケース２内の内部配線５を外部配線６に接続する電気錠であって、
前記錠ケース２には、外部接続コネクタ３と外部配線コネクタ４との連結部を覆うコネクタカバー８が着脱自在に連結され、
前記外部接続コネクタ３は、前記コネクタカバー８の錠ケース２装着面への投影面内において左右方向に偏倚して配置されるとともに、
反対領域が外部配線６の通線領域として使用され、
前記外部配線６は、錠ケース２の外部接続コネクタ４よりも下方に形成された折り返し突部７に係止されて下に凸の形状に折り返されるとともに、前記コネクタカバー８の、外部接続コネクタ４よりも上方に形成される配線ガイド９により前記通線領域内に保持されて折り返し形状が維持される電気錠を提供することにより達成される。
【０００７】
本発明において電気錠は、錠ケース２内に収容され、内部配線５を通じて給電されるアクチュエータ１２により駆動される施錠体１を有し、内部配線５と外部配線６との接続は、錠ケース２に固定された外部配線コネクタ４に外部配線６の外部接続コネクタ３をプラグイン接続して行われる。
【０００８】
コネクタカバー８は、外部接続コネクタ３と外部配線コネクタ４との接続位置を覆って各コネクタ、およびコネクタ間の接続位置への水の浸入を防止し、さらに、外部配線６は、錠ケース２に形成される折り返し突部７とコネクタカバー８によって下に凸な布線形状に導かれるために、外部配線６を伝う水滴のコネクタ連結部への到達が防がれる。このため、外部接続コネクタ３等に高価な防水コネクタを使用することなく防水性能を高めることができる。
【０００９】
また、外部配線６は、錠ケース２に形成される折り返し突部７によって、コネクタカバー８装着前に下に凸な布線形状にされた後、コネクタカバー８の装着によってはみ出し等が規制されて整形されるために、作業性も向上する。  コネクタカバー８は、装着状態において、少なくとも外部配線コネクタ４と外部接続コネクタ３との連結部位を隔壁１１により囲って覆えば足りるが、側壁、正面壁を外部配線６の折り返し部近傍にまで延設させると、より防水性能を向上させることが可能になる。
【００１０】
さらに、
前記コネクタカバー８は、錠ケース２の背面部を切り欠いて形成されたカバー装着部１０に装着され、装着状態において錠ケース２の切欠形状を補完する電気錠を構成した場合には、錠ケース２が矩形領域内に収まるために、奥行き方向への不要な突出部分が発生しないために、扉への取付作業性を向上させ、あるいは、扉内での占有スペースを小さくすることが可能になる。
【００１１】
また、
前記外部接続コネクタ３は、前記コネクタカバー８の錠ケース２装着面への投影面内において左右方向に偏倚して配置されるとともに、
反対領域が外部配線６の折り返し位置から配線ガイド９に至る外部配線６の通線領域として使用される電気錠を構成することにより、錠ケース２の厚さ方向を通線スペースとして有効利用できるために、奥行き方向に通線スペースを新たに設定する必要がなく、装置の小型化が可能になる。
なお、本発明によれば、
施錠体１を収容する錠ケース２に固定される外部接続コネクタ３にプラグイン接続される外部配線コネクタ４を介して錠ケース２内の内部配線５を外部配線６に接続する電気錠であって、
前記外部配線６は、錠ケース２に形成された折り返し突部７に係止されて下に凸の形状に折り返されるとともに、錠ケース２に着脱自在に連結されて外部配線コネクタ４と外部接続コネクタ３との連結部を覆うコネクタカバー８に形成される配線ガイド９に保持されて折り返し形状が維持される電気錠を提供することも可能である。
【００１２】
さらに、上記電気錠には、
電気錠の錠ケース２に着脱自在に連結され、錠ケース２に固定される外部接続コネクタ３と、この外部接続コネクタ３にプラグイン接続される外部配線コネクタ４との連結部位を覆うコネクタカバー８であって、
前記連結部位を覆う配線カバー部２１を有するとともに、該配線カバー部２１に対して左右方向に偏倚して配置される外部配線６の通線領域を有し、
前記配線カバー部２１は、外部配線６の下方への引出面を除いて連結部位を隔壁１１により囲って画成され、
かつ、前記配線カバー部２１と外部配線６の通線領域とを区画する隔壁１１の外壁面には、引出面から引き出されて下に凸の形状に折り返された外部配線６を通線領域内に保持し、外部配線６の折り返し形状を維持する配線ガイド９が設けられるコネクタカバー８を使用することができる。
なお、本発明によれば、
電気錠の錠ケース２に着脱自在に連結され、錠ケース２に固定される外部接続コネクタ３と、この外部接続コネクタ３にプラグイン接続される外部配線コネクタ４との連結部位を覆うコネクタカバー８であって、
前記連結部位を外部配線６の引出面を除いて覆う隔壁１１を有し、
少なくとも一の隔壁１１の外壁面には、引出面から引き出された外部配線６を保持する配線ガイド９が設けられるコネクタカバー８を提供することも可能である。
【発明の効果】
【００１３】
本発明によれば、コネクタカバーによりコネクタ間の連結部を覆うために、各コネクタを防水仕様とする場合に比べて安価に防水性能を確保することができる。
【図面の簡単な説明】
【００１４】
【図１】本発明の電気錠を示す斜視図である。
【図２】コネクタカバーの錠本体への装着操作を示す図である。
【図３】コネクタカバーを示す図で、（ａ）はコネクタカバーの錠本体への装着操作を示す図２を３Ａ方向から見た図、（ｂ）は図３（ａ）の３Ｂ方向矢視図である。
【図４】錠本体を示す図で、（ａ）は側面図、（ｂ）は背面図である。
【図５】コネクタカバー８を装着した状態を示す図で、（ａ）は側面図、（ｂ）は背面図である。
【図６】本発明が適用された玄関扉を示す図で、（ａ）は屋外側壁面を示す図、（ｂ）は屋内側壁面を示す図、（ｃ）は（ａ）の６Ｃ方向矢視図である。
【発明を実施するための形態】
【００１５】
図６に玄関扉として構成された本発明の建具Ａを示す。玄関扉Ａは、扉体２２内に固定される電気錠（Ｂ）と、電気錠（Ｂ）を挟むようにして扉体２２の屋外、屋内側壁面に固定されるアウトサイドハンドル２３、インサイドハンドル２４とを有する。
【００１６】
アウトサイドハンドル２３を取り付けるために、扉体２２の屋外側壁面には屋外側上下取付ベース２５Ａ、２５Ｂが固定され、アウトサイドハンドル２３は、下端に突設されるヒンジ突片２３ａを下取付ベース２５Ｂに挿入して装着される。
【００１７】
装着状態において、アウトサイドハンドル２３はヒンジ突片２３ａの先端部周りに回転操作可能であり、アウトサイドハンドル２３を回転操作すると、アウトサイドハンドル２３の回転先端部と上取付ベース２５Ａに連結されたラッチ操作レバー２６が枢軸２６ａ周りに回転する。
【００１８】
上記電気錠（Ｂ）は、アウトサイドハンドル２３の回転先端部と回転基端部とに対応して２個使用され、後述するように、各電気錠（Ｂ）には施錠体（デッドボルト１）が収容されるとともに、上方に位置する電気錠（Ｂ’）にはドア枠（図示せず）のストライク２７に係止して扉体２２の閉扉状態を維持するラッチボルト２８が収容される。ラッチボルト２８は、アウトサイドハンドル２３の回転操作に伴うラッチ操作レバー２６の回転によってストライク２７との係止が解除され、あるいはラッチボルト２８が所謂反転ラッチとして構成される場合には、係止解除可能な状態に移行する。
【００１９】
一方、インサイドハンドル２４は屋内側取付ベース２９に保持されて回転軸（Ｃ）周りに回転操作可能であり、回転操作に伴って上端部に固定されるラッチ操作レバー２６’が回転して上記ラッチボルト２８に対する係止解除、あるいは係止解除可能状態への遷移操作が行われる。また、屋内側取付ベース２９にはサムターン２９ａが装着されており、該サムターン２９ａを手動操作することにより電気錠（Ｂ、Ｂ’）のデッドボルト１を操作することができる。
【００２０】
さらに、上記電気錠（Ｂ、Ｂ’）は商用電源（Ｐ）からの給電を受けて動作し、商用電源（Ｐ）からの電力は、後述する外部配線６としてのドア内配線（６Ａ）を経由して、先ず下方の電気錠（Ｂ）に導入された後、錠間配線（６Ｂ）を経由して上方の電気錠（Ｂ’）に供給される。
【００２１】
図１以下に下方の電気錠（Ｂ）を例にとって電気錠の構造を詳細に示す。電気錠は、錠本体１３と、錠本体１３の背面部に装着されるコネクタカバー８とを有し、化粧プレート１４を介して図外の扉に固定される。
【００２２】
図２に示すように、錠本体１３は錠ケース２内に図外のドア枠に進退して扉を施解錠するデッドボルト（施錠体１）と、デッドボルト１を駆動するアクチュエータとしてのモータと、モータ１２の回転を制御する制御ボード１５とを収容して形成される。
【００２３】
モータ１２の動力は歯車列１６により減速された後、ラック１７に伝達されて往復動作に変換され、さらに、ラック１７に噛合する歯車１８ａを備えた歯車カム１８の回転動作に変換される。歯車カム１８はアーム部１８ｂを備えており、歯車カム１８の回転によりアーム部１８ｂが回転すると、デッドボルト１の作動突起１ａに干渉し、デッドボルト１が並進駆動される。
【００２４】
制御ボード１５への給電、あるいは制御ボード１５と電気錠外部の電子部品との制御信号の送受を行うために、錠ケース２には内部配線５を介して制御ボード１５に接続される外部接続コネクタ３が固定される。外部接続コネクタ３は、錠ケース２の背面、上端部を切り欠いて形成されるカバー装着部１０に面して配置され、電気錠の外部に布線される外部配線６と制御ボード１５との接続は、外部配線６に固定された外部配線コネクタ４を外部接続コネクタ３にプラグインして行われる（図４参照）。
【００２５】
図３（ａ）に示すように、この実施の形態において、外部接続コネクタ３は、縦方向に３個並べられて配置されており、各々、カバー装着部１０の中心に対して左右方向（本実施の形態においては右側）に偏倚して配置される。
【００２６】
外部接続コネクタ３と外部配線コネクタ４との接続部位の防水性能を高めるために、カバー装着部１０にはコネクタカバー８が着脱自在に装着される。コネクタカバー８を支持するために、カバー装着部１０の開口端近傍には、取付プレート１９が配置されるとともに、上記取付プレート１９から背面方向にやや離隔した位置に第一係止段部２０ａが形成され、さらに背面方向に離隔した位置に、上記第一係止段部２０ａに対して係止方向が直交する第二係止段部２０ｂが設けられる。
【００２７】
また、錠ケース２には折り返し突部７が形成される。折り返し突部７は、カバー装着部１０の底部から適宜の高さ位置で、最下段の外部接続コネクタ３よりさらに下方に設けられ、外部配線６を係止した際の外部配線６の脱落が生じにくいように、底面中央部が凹形状に形成される。
【００２８】
一方、コネクタカバー８は、上記カバー装着部１０の切欠形状にほぼ一致し、カバー装着部１０に装着された状態でカバー装着部１０を補完して電気錠が直方体形状となるように形成される。図３（ｂ）に示すように、コネクタカバー８の平面視矩形領域の一部には、カバー装着部１０に対向する面と、底部を開放させ、側面、および天井面を隔壁１１により囲った配線カバー部２１が残余の領域から画成される。
【００２９】
また、平面視においてコネクタカバー８を配線カバー部２１を残余の領域から区画する隔壁１１には、残余の領域に向けて配線ガイド９が突設され、隔壁１１に沿って布線される外部配線６が保持される。
【００３０】
配線ガイド９は、高さ方向中間部と上端部の２カ所に設けられ、上端側の配線ガイド部は、外部配線６をまとめることができるように、フック形状に形成される。
【００３１】
上述したように、外部接続コネクタ３は、カバー装着部１０の中心に対して右側に偏倚して配置されていることに対応して、配線ガイド９が配置される通線領域は、図３に示すように、外部接続コネクタ３が配置されない左側の隅角部に配置され、外部配線コネクタ４からの引き出し領域がより広くとれるように配慮される。  以上のコネクタカバー８を錠ケース２に装着するために、コネクタカバー８には、上下係止片８ａ、８ｂと、上記第一、第二係止段部２０ａ、２０ｂに対応する第一、第二係止フック８ｃ、８ｄが設けられる。上下係止片８ａ、８ｂはコネクタカバー８の配線ガイド９の前縁部に形成され、上係止片８ａは天井壁から下方に向けて庇状に垂下され、下係止片８ｂは前縁下端から中心に向けて突片状に突設される。
【００３２】
以上の構成の下、外部配線６との接続は、まず、図４に示すように、外部接続コネクタ３に外部配線コネクタ４をプラグイン接続し、次いで、外部配線６を下方に導いた後、折り返し突部７に係止させる。この後、外部配線６を上方に引っ張ると、外部配線６には下に凸の折り返し部が形成される。
【００３３】
この状態で、コネクタカバー８の下係止片８ｂを取付プレート１９と錠ケース２との間隙に挿入し、下方にスライドさせると、第一、第二係止フック８ｃ、８ｄが第一、第二係止段部２０ａ、２０ｂに弾性的に係止し、さらに、上係止片８ａが取付プレート１９の上縁を挟むように係止し、錠ケース２に装着される。
【００３４】
この後、図５に示すように、外部配線６を配線ガイド９により挟み付け、外部配線６の上行ルートを拘束する。
【００３５】
この状態で、外部接続コネクタ３と外部配線コネクタ４との接続部位はコネクタカバー８により覆われて水の付着、侵入が確実に防止できる上に、外部配線６を伝って外部からきた水滴は折り返し部から上方に移動することはできないために、接続部に至ることがない。
【００３６】
なお、以上において電気錠は、錠ケース２内にデッドボルト１を収容したものを示したが、これに加え、扉に係止して扉の閉扉状態を維持するためのラッチボルトを収容したものや、あるいは、施錠体として反転ラッチとして作動するラッチボルトを収容したものであってもよい。
【符号の説明】
【００３７】
１        施錠体
２        錠ケース
３        外部接続コネクタ
４        外部配線コネクタ
５        内部配線
６        外部配線
７        折り返し突部
８        コネクタカバー
９        配線ガイド
１０      カバー装着部
１１      隔壁
Ａ        建具
Ｂ        電気錠
【図１】
0005711084.tif 000002
【図２】
0005711084.tif 000003
【図３】
0005711084.tif 000004
【図４】
0005711084.tif 000005
【図５】
0005711084.tif 000006
【図６】
0005711084.tif 000007